(57)【要約】【課題】  グラウンド・ゴルフ用のホールポストにおいて、ポールを取り付けた後に、重りをポール下端部に載置できるようにしたグラウンド・ゴルフのホールポスト用重り及びこれを用いたホールポストを提供する。【解決手段】  重り１９は、ポールを取り囲むように相補的に組み合わせたときポール挿通用の孔２０を形成する複数の重り部材２１により構成されている。この重り部材２１には、ポール差込溝２３と突出部２４及び受け部２５が設けられている。一方の重り部材２１をポールの側面にあてがい、その上方からポールに沿って他方の重り部材２１を降下させて突出部２４と受け部２５を嵌合させると、重り部材２１は連結される。連結状態から一方の重り部材２１を上方に持ち上げると該重り部材２１は分離する。【選択図】図２
2008206634.tif 000002
【特許請求の範囲】
【請求項１】
グラウンド・ゴルフ用のホールポストのポールの下端部に戴置する重りにおいて、該重りはポールを取り囲むよう相補的に組み合わされたときポール挿通用の孔を形成する複数の重り部材によって構成され、該重り部材は各重り部材を連結するための連結手段を具備することを特徴とするグラウンド・ゴルフのホールポスト用重り。
【請求項２】
上記重り部材には、上記ポールの周面に嵌着できるよう側方に開口するポール差込溝が形成されていることを特徴とする請求項１に記載のグラウンド・ゴルフのホールポスト用重り。
【請求項３】
上記連結手段は、他の重り部材に組み合わされる組み合わせ面から対向する重り部材方向に突出し上下方向に延びる突出部と該突出部を挿入する入口を端部に有し該突出部と係合するよう上下方向に延びる受け部を含み、該突出部と該受け部は係合状態で側方に抜け止めされるようくびれ部を有することを特徴とする請求項１または２に記載のグラウンド・ゴルフ用のホールポスト用の重り。
【請求項４】
上記重り部材は、それぞれ上記突出部と受け部を有する請求項３に記載のグラウンド・ゴルフのホールポスト用重り。
【請求項５】
上記重り部材は、上記突出部を有する重り部材と上記受け部を有する重り部材を含む請求項３に記載のグラウンド・ゴルフのホールポスト用の重り。
【請求項６】
上記各重り部材は、側方からポールに差し込めるよう側方に開口するポールスリットを有し、該重り部材は、上下のポールスリットの組み合わせにより上記ポール挿通用の孔を形成するよう上下に組み合わされる組み合わせ面を有することを特徴とする請求項１に記載のグラウンド・ゴルフのホールポスト用重り。
【請求項７】
上記組み合わせ面には、連結手段として側方に抜け止めされるよう係合する係合部が設けられている請求項６に記載のグラウンド・ゴルフのホールポスト用重り。
【請求項８】
上記組み合わせ面は傾斜していることを特徴とする請求項６に記載のグラウンド・ゴルフのホールポスト用重り。
【請求項９】
上記連結手段は、磁石を含む請求項１に記載のグラウンド・ゴルフのホールポスト用重り。
【請求項１０】
上記連結手段は、面ファスナーを含む請求項１に記載のグラウンド・ゴルフのホールポスト用重り。
【請求項１１】
上記連結手段は、上記重りを取り囲んで締着する締着部材を含む請求項１に記載のグラウンド・ゴルフのホールポスト用重り。
【請求項１２】
上記重り部材を上下方向に複数個重ねて設置したことを特徴とする請求項１から１１のいずれかに記載のグラウンド・ゴルフのホールポスト用の重り。
【請求項１３】
上記請求項１から１２のいずれかに記載の重りをポールの下端に戴置したことを特徴とするグラウンド・ゴルフのホールポスト。
【発明の詳細な説明】
【技術分野】
【０００１】
本発明は、グラウンド・ゴルフのホールポストに戴置する重り及び該重りを有するホールポストに関するものである。
【背景技術】
【０００２】
グラウンド・ゴルフに使用するホールポストは、直径３６ｃｍの底円及び該底円の１１ｃｍ上方に直径２０ｃｍの上円を有し、該上円の上にポールを垂直に立てた構造である。該ポールは、この上円の上部に設けた支持板から突出するボルトにねじ着され、支持板の下面には鈴が取り付けられている（特許文献１参照）。
【０００３】
上記ホールポストは、ポールの先端にホール番号を示すフラッグが設けられているので、強風等によって転倒したり、移動したりしやすい。そのため、通常は支持板の上に重りを載置して転倒や移動を防止している。
図１５はホールポストに用いる従来の重りの一例を示し、該重り１は中央にポール挿入孔２を有する円筒形状に形成され、この円筒形状の重り１をポール４に挿入し、支持板３上に戴置している。
【０００４】
この重り１を設置するには、ホールポストのポール４を支持板３に取り付けた後に上方から差し込んだり、ポール４を取り付ける前に該支持板３の上に重り１を置き、孔２を通してポール４をねじ着している。しかし、グラウンド・ゴルフは高齢者や児童も楽しむ競技であるから、重り１を持ち上げたりするのは危険であり、長いポール４を取り付けてその先端から重り１を差し込むのは大変である。また、重り１を支持板３に載せてからポール４を差し込むようにすると、孔の位置がずれたり、ポール４を差し込む際ポールの先端が見えないので、ポール４の取り付けが面倒である。
【０００５】
また、図１６に示すように、側方に開口するスリット５を有する重り６も知られている。この重り６はポール４を取り付けた後、ポール４にスリット５を対向させて押し込めば取り付けできるが、ポール４をスリット５の間に差し込んだだけの状態であるから、重り６を設置後にホールポストを動かすとポール４から重り６が容易に抜け落ちてしまう危険性がある。
【０００６】
さらに、従来の重りは上述したように全体が１つの塊となっているため、持ち運びや取り扱いに不便であるという問題点がある。
【特許文献１】特開平１１−１５１３３３（図１）
【発明の開示】
【発明が解決しようとする課題】
【０００７】
本発明が解決しようとする課題は、ホールポストにポールを取り付けた後に設置可能であり、支持板上から落下する心配もなく、携帯性及び経済性にも優れたグラウンド・ゴルフのホールポスト用重り及び該重りを有するホールポストを提供することである。
【課題を解決するための手段】
【０００８】
本発明によれば、グラウンド・ゴルフ用のホールポストのポールの下端部に載置する重りにおいて、該重りはポールを取り囲むように相補的に組み合わせたときポール挿通用の孔を形成する複数の重り部材によって構成され、該重り部材は各重り部材を連結するための連結手段を具備することを特徴とするグラウンド・ゴルフのホールポスト用重り及び該重りを有するホールポストが提供され、上記課題が解決される。
【発明の効果】
【０００９】
本発明は、上記のように構成され、ポールを取り囲むように相補的に組み合わせたときポール挿通用の孔を形成する複数の重り部材によって重りを構成したので、ホールポストにポールを取り付けた後、ポールを囲むように複数の重り部材を組み合わせることにより、きわめて簡単に支持板上に重りを載置することができる。そして、各重り部材は、連結手段により連結されるから、該重りを設置した後にホールポストが動いても、支持板上から重りが落下する心配がない。従来であれば一体に形成されていた重りを分割できるため簡単に持ち運びができる、というメリットもある。さらに、重り部材の組み合わせ面に上下方向に突出する突出部と該突出部が嵌合する受け部を設けて重り部材を連結するように構成すると、重り部材を上下動するだけで簡単に連結することができ、取り扱いが容易である。また、連結手段として、磁石、面ファスナー、クランプ部材等を用いると一層容易に着脱することができる。
【発明を実施するための最良の形態】
【００１０】
図１は、本発明の一実施例を示し、本体１１は底円１２と上円１３を有し、該上円１３は連結フレーム１４により底円１２の上方に形成され、中央に支持板１５が設けられている。支持板１５の上方にはフラッグ１６を有するポール１７が垂直に立てられ、下方には底円１２内に入ったボール（図示略）が当たるよう鈴1８が垂下されている。そして、支持板１５の上には重り１９が載置されている。
【００１１】
上記重り１９は、上記ポール１７を取り囲むよう相補的に組み合わせたときポール挿通用の孔２０を形成する複数の重り部材２１により構成されており、かつ、該重り部材を連結する適宜の連結手段を有している。該重り部材２１は適宜数設けることができ、上記連結手段は相補的に組み合わせた上記重り部材２１が側方に分離しないように構成されているが、図に示す実施例では、図２に示すように、重り１９を２つの重り部材２１で構成し、一体的な連結手段を設けて連結している。
【００１２】
該重り部材２１は、円柱を半割した略半割円柱形状に形成され、対向する重り部材に組み合わされる組み合わせ面２２には上下方向に延びるポール差込溝２３と、連結手段として突出部２４と該突出部２４に嵌合する受け部２５が形成されている。該ポール差込溝２３は、図に示すように上記ポール１７の周面に嵌着できるよう側方に開口している。また、上記突出部２４の基端及び上記受け部２５の先端には嵌合状態で側方に抜け止めされるようくびれ部２６、２７を形成して係合するようにしてある。この構成により、該突出部２４を該受け部２５の端部に形成した入口２８から挿入して該突出部２４と該受け部２５を嵌合させたとき、重り部材２１は、横方向に分離しないよう連結される。
そして、図３に示すように、上記重り部材２１をポールを取り囲むよう相補的に組み合わせたとき、上記ポール差込溝２３によりポール挿通用孔２０が形成される。
【００１３】
上記の構成により、ホールポストにポール１７を取り付けた後、ポール１７の側方から一方の重り部材２１のポール差込溝２３をポール１７の周面にあてがい、該重り部材２１の上方から他方の重り部材２１のポール差込溝２３をポール１７に沿わせて降下させながら該他方の重り部材２１の突出部２４と受け部２５に嵌合させれば、図４に示すように支持板１５の上に２つの重り部材２１を連結状態で載置することができる。また、取り外す際は、一方の重り部材２１を上方に抜き取れば簡単に分離することができる。
【００１４】
図５は他の実施例を示し、３つの重り部材２９によって重り１９を構成している。各重り部材２９は、上記図２に示す重り部材２１のポール差込溝２３、突出部２４、受け部２５と同じ符号で図示したようにほぼ同様のポール差込溝２３、突出部２４、受け部２５を有し、外周面が弧状の相補的な略三角柱状に形成され、相補的に組み合わせることにより、上記実施例とほぼ同様にポール下端部に着脱することができる。なお、このように複数の重り部材２１を組み合わせると、特にポール差込溝２３を設けなくても、ポール挿通用の孔２０を構成することが可能である。
【００１５】
上記実施例において連結手段として示す突出部及び受け部はほぼ断面略台形状に形成してあるが、その他適宜の形状に構成することができ、例えば図６に示すように組み合わせ面３１にポール差込溝３２を有する重り部材３０に断面略円形状の突出部３３及び受け部３４を形成したり、突出部の大きさを受け部より小さくしたりすることもできる（図示略）。
また、上記突出部及び受け部は重り部材の上下端まで連続しているが、図７のように、組み合わせ面３６に上下方向に連続するポール差込溝３７と、途中まで延びる突出部３８及び受け部３９を有する重り部材３５を形成して組み合わせてもよい。その他、例えば、突出部をフック形状に構成し、受け部を掛け孔状に構成して連結することもできる（図示略）。
【００１６】
上記実施例では、同一形状の重り部材を用いて組み合わせできるよう、各重り部材はそれぞれ突出部と受け部を有しているが、図８に示すように、一方の重り部材４０にポール差込溝４１と受け部４２を設け、他方の重り部材４３に上記ポール差込溝４１と上記受け部と係合する突出部４４を設けた構成でもかまわない。
【００１７】
上記各実施例では、上記重り部材は組み合わせた状態で横方向に連結されているが、図９のように縦方向に連結する重り部材４５により重り４６を構成してもよい。
該重り部材４５は、上下に組み合わせることが可能な組み合わせ面４７と、ポールを差し込むため側方に開口し奥部が弧状に形成されたスリット４８と、上下に重ね合わせた重り部材４５が側方に抜け落ちないようにするための連結手段として係合する係合部を有する。該係合部は、図１０に示すように、上下方向に突出する突出部４９と該突出部４９と係合可能に上下方向に凹んだ受け部５０で構成されているが、その他適宜の形状で構成することができる。
上記組み合わせ面４７は、重り部材４５を上下に組み合わせて突出部４９と受け部５０を係合させたとき、上下２つのスリット４８の奥部によりポールの周面を上下に取り囲むポール挿通用の孔５１を形成するよう構成され、これにより重り４６をポールから脱落しないように取り付けることができる。
さらに、上記図９に示す重り部材の組み合わせ面は、ほぼ水平に形成してあるが、図１１及び図１２に示すように、組み合わせ面を傾斜させれば、上記突出部と受け部の係合が、重り部材の自重によって強固となり、組み合わせた状態でより強く連結される。
【００１８】
上記各実施例において、連結手段は重り部材に一体的に形成した突出部と受け部で構成してあるが、その他一体的な若しくは別体の連結手段を用いることもできる。例えば、重り部材を磁石で構成したり、組み合わせ面に磁石を埋没したり、面ファスナーを設けて、各部材を連結するような構成にしてもかまわない。なお、面ファスナーを設ける場合は、例えば組み合わせ面に面ファスナーを接着したり、表面に面ファスナーを設けたカバーで重り部材の全体をくるめばよい。
【００１９】
また、連結手段としてベルトやクランプ部材等の締着部材を用いてもよい。例えば、クランプ部材５２は、図１３に示すように、一端がヒンジ５３により回動可能に連結された２つの半円形状のリンク片５４と、その他端を開閉可能に連結する締具５５を有しており、上記リンク片５４を重り部材５６の周囲に配置して締具５５で締着すれば、該重り部材５６をしっかりと連結する。締具５５として、図に示す実施例ではボルトを用いているが、レバーやその他の適宜の止着手段を用いることができる。また、締具等の止着手段を用いずに、上記リンク片をばね等で内方に付勢して、重り部材の外周を挟着してもよい。なお、締着部材による「締着」とは、少なくとも、重り部材が分離しない程度に保持されている状態であればよい。
【００２０】
上記各実施例では、重りは積層されていないが、上述のように構成した重り部材５７を図１４に示すように上下に積み重ねるように構成することもできる。このような構成にすることで、例えば風の強い日に競技を行う際に、その風の強さに応じて重りの重量を調節することが可能になる。
【図面の簡単な説明】
【００２１】
【図１】本発明の重りをグラウンド・ゴルフのホールポストに設置した状態を示す          斜視図である。
【図２】重り部材を分離して示す斜視図である。
【図３】重り部材を組み合わせた状態の斜視図である。
【図４】ホールポストに設置した状態を示した拡大断面図である。
【図５】重り部材の他の実施例を示す平面図である。
【図６】重り部材の他の実施例を示す斜視図である。
【図７】重り部材の他の実施例を示す斜視図である。
【図８】重り部材の他の実施例を示し、分離した状態の平面図である。
【図９】重り部材の他の実施例を示し、組み合わせた状態の斜視図である。
【図１０】図９に示す重り部材を組み合わせた状態を示す側面図である。
【図１１】重り部材の他の実施例を示し、組み合わせた状態の斜視図である。
【図１２】図１１に示す重り部材を組み合わせた状態を示す側面図である。
【図１３】連結手段としてクランプ部材を用いた実施例を示す平面図である。
【図１４】重りの他の実施例を示す側面図である。
【図１５】従来例を示す一部の拡大斜視図である。
【図１６】他の従来例を示す平面図である。
【符号の説明】
【００２２】
１、６  重り
２  孔
３  支持板
４  ポール
５  スリット
１１  ホールポスト本体
１２  底円
１３  上円
１４  連結フレーム
１５  支持板
１６  フラッグ
１７  ポール
１８  鈴
１９、４６  重り
２０、５１  孔
２１、２９、３０、３５、４０、４３、４５、５６、５７  重り部材
２２、３１、３６、４７  組み合わせ面
２３、３２、３７、４１  ポール差込溝
２４、３３、３８、４４、４９  突出部
２５、３４、３９、４２、５０  受け部
２６、２７  くびれ部
２８  入口
４８  スリット
５２  クランプ部材
５３  ヒンジ
５４  リンク片
５５  締具
【図１】
2008206634.tif 000003
【図２】
2008206634.tif 000004
【図３】
2008206634.tif 000005
【図４】
2008206634.tif 000006
【図５】
2008206634.tif 000007
【図６】
2008206634.tif 000008
【図７】
2008206634.tif 000009
【図８】
2008206634.tif 000010
【図９】
2008206634.tif 000011
【図１０】
2008206634.tif 000012
【図１１】
2008206634.tif 000013
【図１２】
2008206634.tif 000014
【図１３】
2008206634.tif 000015
【図１４】
2008206634.tif 000016
【図１５】
2008206634.tif 000017
【図１６】
2008206634.tif 000018